(57)【要約】      （修正有）【課題】ドアと隣接ボデーパネルの間のはさみ区域に設ける、電線に損傷を与えない形状影響補強材を備えたアコーディオン風グロメットを提供する。【解決手段】グロメット１０は、装着構造体１２，１４と、チューブ１６と、複数の補強材５４を有している。装着構造体は、乗り物のパネルに装着するように構成されており、装着構造体は、それを通って延びる第一の通路２８を定めている。チューブは装着構造体から延びており、第一の通路と連絡した第二の通路４０を定めている。チューブは、複数の尾根５０と、複数の尾根の間にはさまれた複数の溝５２を有している波状部４６を有している。補強材は、複数の尾根のうちの波状部のある区域内に配置されたものの間にはさまれている。補強材は、チューブの周囲のまわりに部分的に延びている。【選択図】図１
2015181337.tif 000002
【特許請求の範囲】
【請求項１】
電線を収納するためのグロメットであり、
乗り物のパネルに装着するように構成された装着構造体を備えており、前記装着構造体は、それを通って延びる第一の通路を定めており、また、
前記装着構造体から延びており、前記装着構造体の前記第一の通路と連絡した第二の通路を定めているチューブを備えており、前記チューブは、複数の尾根と、前記複数の尾根の間にはさまれた複数の溝を有している波状部を有しており、また、
前記複数の尾根のうちの前記波状部のある区域内に配置されたものの間にはさまれた複数の補強材を備えており、前記複数の補強材は、前記チューブの周囲のまわりに部分的に延びており、前記複数の補強材は、前記チューブから半径方向に外へ延びる高さを有している、グロメット。
【請求項２】
前記複数の補強材は第一の補強材と第二の補強材を有しており、前記第一の補強材は、前記チューブの周囲のまわりに第一の量だけ延びており、前記第二の補強材は、前記チューブの周囲のまわりに前記第一の量とは異なる第二の量だけ延びている、請求項１のグロメット。
【請求項３】
前記波状部の前記区域は、前記波状部の長さに沿って部分的に延びている、請求項１のグロメット。
【請求項４】
前記複数の補強材は、前記チューブの周囲のまわりに連続的に延びている、請求項１のグロメット。
【請求項５】
前記複数の補強材の高さは、前記チューブの長さに沿って均一である、請求項１のグロメット。
【請求項６】
前記複数の補強材の高さは、前記チューブの周囲のまわりに均一である、請求項１のグロメット。
【請求項７】
前記複数の補強材は、前記チューブと単一体に形成されている、請求項１のグロメット。
【請求項８】
前記チューブは、前記複数の尾根の所で第一の壁厚を有しており、前記チューブは、前記複数の補強材の所で第二の壁厚を有しており、前記第二の壁厚は、前記複数の補強材の高さと等しい量だけ前記第一の壁厚よりも大きい、請求項７のグロメット。
【請求項９】
電線を収納するためのグロメットであり、
乗り物のパネルに装着するように構成された装着構造体を備えており、前記装着構造体は、それを通って延びる第一の通路を有しており、また、
前記装着構造体から延びており、前記装着構造体の前記第一の通路と連絡した第二の通路を定めているチューブを備えており、前記チューブは、複数の尾根と、前記複数の尾根の間にはさまれた複数の溝を有している波状部を有しており、また、
前記複数の尾根のうちの前記波状部のある区域内に配置されたものの間にはさまれた複数の補強材を備えており、前記複数の補強材は、前記チューブから半径方向に外へ延びる高さを有しており、前記複数の補強材は第一の補強材と第二の補強材を有しており、前記第一の補強材は、前記チューブの周囲のまわりに第一の量だけ延びており、前記第二の補強材は、前記チューブの周囲のまわりに前記第一の量とは異なる第二の量だけ延びている、グロメット。
【請求項１０】
前記複数の補強材は、前記チューブの周囲のまわりに部分的に延びている、請求項９のグロメット。
【請求項１１】
前記波状部の前記区域は、前記波状部の長さに沿って部分的に延びている、請求項９のグロメット。
【請求項１２】
前記複数の補強材は、前記チューブの周囲のまわりに連続的に延びている、請求項９のグロメット。
【請求項１３】
前記複数の補強材の高さは、前記チューブの周囲のまわりに均一である、請求項９のグロメット。
【請求項１４】
前記複数の補強材は、前記チューブと単一体に形成されている、請求項９のグロメット。
【請求項１５】
前記チューブは、前記複数の尾根の所で第一の壁厚を有しており、前記チューブは、前記複数の補強材の所で第二の壁厚を有しており、前記第二の壁厚は、前記複数の補強材の高さと等しい量だけ前記第一の壁厚よりも大きい、請求項９のグロメット。
【請求項１６】
電線を収納するためのグロメットであり、
乗り物のパネルに装着するように構成された装着構造体を備えており、前記装着構造体は、それを通って延びる第一の通路を有しており、また、
前記装着構造体から延びており、前記装着構造体の前記第一の通路と連絡した第二の通路を定めているチューブを備えており、前記チューブは、複数の尾根と、前記複数の尾根の間にはさまれた複数の溝を有している波状部を有しており、また、
前記複数の尾根のうちの前記波状部の区域内に配置されたものの間にはさまれた複数の補強材を備えており、前記複数の補強材は、前記チューブの端が前記乗り物への前記グロメットの設置を模倣する設置方位に配置されたときに、前記波状部の前記区域のかたよりを共働して制限する、グロメット。
【請求項１７】
前記チューブの端が前記設置方位で配置されたときに、前記グロメットの第一の区間は、第一の曲げ半径を有し、前記グロメットの第二の区間は、前記第一の曲げ半径とは異なる第二の曲げ半径を有する、請求項１６のグロメット。
【請求項１８】
前記複数の補強材の第一の量が前記第一の区間に配置され、前記複数の補強材の第二の量が第二の区間に配置され、前記第二の量は前記第一の量とは異なっている、請求項１７のグロメット。
【請求項１９】
前記複数の補強材のうちの前記第一の区間に配置されたものは、前記チューブの周囲のまわりに第一の量だけ延びており、前記複数の補強材のうちの前記第二の区間に配置されたものは、前記チューブの周囲のまわりに前記第一の量とは異なる第二の量だけ部分的に延びている、請求項１７のグロメット。
【請求項２０】
前記複数の補強材のうちの前記第一の区間に配置されたものは第一の材料から形成されており、前記複数の補強材のうちの前記第二の区間に配置されたものは、前記第一の材料とは異なる第二の材料から形成されている、請求項１７のグロメット。
【発明の詳細な説明】
【技術分野】
【０００１】
本開示は、アコーディオン風グロメットに、特には、形状影響補強材を備えたアコーディオン風グロメットに関する。
【背景技術】
【０００２】
この節は、必ずしも従来技術ではない本開示と関係する背景情報を提供する。
【０００３】
グロメットは、たとえば電線を損傷させることがある可動コンポーネントに露出されることがある範囲の電線を収納し保護するためにしばしば使用される。アコーディオン風グロメットは、交互の尾根および溝を有している波状部を有している。波状部は、グロメットに収納された電線をグロメットまたは電線に損傷を与えることなくある個所から別の箇所まで引き回すのに必要とされるようにグロメットが曲がることを可能にする。
【０００４】
アコーディオン風グロメットは、計器板からドアのパネルまで延びる電線を収納するために乗り物に設置されることがある。この場合、ドアが閉じられるとき、電線はグロメットの形状に影響を及ぼすことがある。グロメットの形状に影響を及ぼす電線の潜在力は、グロメットが長いとき、および／または、電線がねじられるとき、より大きいことがある。グロメットの形の変化は、ドアと隣接ボデーパネルの間のはさみ区域にグロメットを向けさせ、それは、最終的に電線に損傷を与えることがある。したがって、アコーディオン風グロメットの形状に影響を及ぼす能力が、乗り物とグロメットを使用する他の製品のある範囲で望まれることがある。
【発明の概要】
【０００５】
この節は、開示の一般的な概要を提供し、その完全な範囲またはその特徴のすべての包括的な開示ではない。
【０００６】
本開示の教示にしたがって構築された電線を収納するためのグロメットは、装着構造体と、チューブと、複数の補強材を有している。装着構造体は、乗り物のパネルに装着するように構成されており、装着構造体は、それを通って延びる第一の通路を定めている。チューブは装着構造体から延びており、第一の通路と連絡した第二の通路を定めている。チューブは、複数の尾根と、複数の尾根の間にはさまれた複数の溝を有している波状部を有している。補強材は、複数の尾根のうちの波状部のある区域内に配置されたものの間にはさまれている。一つの形態では、補強材は、チューブの周囲のまわりに部分的に延びている。
【０００７】
別の形態では、複数の補強材は、第一の補強材と第二の補強材を有している。第一の補強材は、チューブの周囲のまわりに第一の量だけ部分的に延びている。第二の補強材は、チューブの周囲のまわりに第一の量とは異なる第二の量だけ部分的に延びている。
【０００８】
適用可能性のさらなるエリアは、ここに提供される説明から明白になるであろう。この概要中の説明と特定の例は、例示の目的のために意図されており、本開示の範囲を限定するようには意図されていない。
【図面の簡単な説明】
【０００９】
ここに説明される図面は、すべての可能な実施ではなく、選択された実施形態だけの説明目的のためのものであり、本開示の範囲を限定するようには意図されていない。
【図１】図１は、本開示の原理による形状影響補強材を備えたアコーディオン風グロメットの斜視図である。
【図２】図２は、図１のグロメットの平面図である。
【図３】図３は、図１のグロメットの側面図である。
【図４】図４は、図２に示された線４−４に沿って破断された図１のグロメットの断面図である。
【図５】図５は、図４に示された楕円５内の図１のグロメットの一部の拡大断面図である。
【図６】図６は、図３に示された線６−６に沿って破断された図１のグロメットの断面図である。
【図７】図７は、図３に示された線７−７に沿って破断された図１のグロメットの断面図である。
【図８】図８は、実線で示された本開示の原理による形状影響補強材を備えたアコーディオン風グロメットと、想像線で示された形状影響補強材を備えないアコーディオン風グロメットの側面図である。
【００１０】
対応する参照数字は、図面のいくつかを通して対応する部分を示している。
【発明を実施するための形態】
【００１１】
実例実施形態がいま添付図面を参照してより完全に説明される。
【００１２】
図１ないし３を参照すると、本開示の教示にしたがって構築されたアコーディオン風グロメットが参照数字１０によって一般に示されている。グロメット１０は、長手軸ｘと横軸ｙと鉛直軸ｚを有していてもよい。グロメット１０は、電線を収納するように構成されていてもよく、第一の装着構造体１２と、第二の装着構造体１４と、第一の装着構造体１２と第二の装着構造体１４に接続され、それらの間に延びているチューブ１６を有していてもよい。第一の装着構造体１２と第二の装着構造体１４とチューブ１６は、同じ材料から単一体に形成されてもよい。たとえば、第一の装着構造体１２と第二の装着構造体１４とチューブ１６は、射出成形を使用して、エチレン・プロピレン・ジエン・モノマー（ＥＰＤＭ）ゴムなどのゴムから形成されてもよい。
【００１３】
第一の装着構造体１２と第二の装着構造体１４は、たとえば乗り物のさまざまなボデーパネルに定められた開口内に装着するように構成されていてもよい。第一の装着構造体１２は、矩形台座１８と、第一の楕円筒２０と、第二の楕円筒２２と、タブ２４を有していてもよい。矩形台座１８は、チューブ１６から鉛直軸ｚに沿って延びていてもよい。第一の楕円筒２０は、矩形台座１８から鉛直軸ｚに沿って延びていてもよい。第二の楕円筒２２は、第一の楕円筒２０から鉛直軸ｚに沿って延びていてもよい。第一の楕円筒２０と第二の楕円筒２２は、それらの間に延びている溝２６を定めていてもよい。タブ２４は、第二の楕円筒２２から鉛直軸ｚに沿って延びていてもよい。第一の装着構造体１２は、それを通って延びる通路２８を定めていてもよい。
【００１４】
第二の装着構造体１４は、矩形台座３０と、第一の楕円筒３２と、第二の楕円筒３４と、タブ３６を有していてもよい。矩形台座３０は、チューブ１６からほぼ鉛直軸ｚに沿って延びていてもよい。第一の楕円筒３２は、そこから第一の楕円筒３２が延びている矩形台座３０の端に垂直な第一の方向に矩形台座３０から延びていてもよい。第二の楕円筒３４は、第一の楕円筒３２から第一の方向に延びていてもよい。第一の楕円筒３２と第二の楕円筒３４は、それらの間に延びている溝３８を定めていてもよい。タブ３６は、第二の楕円筒３４から第一の方向に延びていてもよい。第一の装着構造体１２は、それを通って延びる通路４０を定めていてもよい。
【００１５】
チューブ１６は、第一の平坦部４２と、第二の平坦部４４と、波状部４６を有していてもよい。グロメット１０の第一の装着構造体１２は第一の平坦部４２から延びていてもよく、グロメット１０の第二の装着構造体１４は第二の平坦部４４から延びていてもよい。図３に最もよく示されるように、第一の平坦部４２と波状部４６は、そこから延びているナブ４８を有していてもよい。ナブ４８は、グロメット１０が設置されるときにグロメット１０がねじられないことを保証するために使用されてもよい。
【００１６】
波状部４６は、可変壁厚を有していてもよく、尾根５０と、尾根５０の間にはさまれた溝５２を有していてもよい。波状部４６はまた、尾根５０の間にはさまれた補強材５４を有していてもよい。補強材５４の量と配置は、グロメット１０の所望の形を生むように選択されてもよい。たとえば、補強材５４の量は、グロメット１０の曲げ強度を増大させるために増大されてもよい。さらに、補強材５４は、区域５６のグロメット１０の曲げ強度を増大させるために波状部４６の区域５６に配置されてもよい。
【００１７】
補強材５４は、波状部４６の他の部分と単一体に形成されてもよい。あるいは、補強材５４は、波状部４６の他の部分とは別に形成され、それに取り付けられてもよい。さらには、補強材５４と波状部４６の他の部分は、同じ材料または異なる材料から形成されてもよい。たとえば、補強材５４は、それから波状部４６の他の部分が形成される材料よりも硬い材料から形成されてもよい。
【００１８】
補強材５４のために選ばれた材料がグロメット１０の他の部分のために選ばれた材料と同じであるならば、補強材５４とグロメット１０の他の部分は単一の射出成形工程によって形成されてもよい。補強材５４のために選ばれた材料がグロメット１０の他の部分のために選ばれた材料と異なるならば、補強材５４は二次加工または工程によって形成されてもよい。
【００１９】
図４と５を参照すると、チューブ１６は中空であってもよく、第一の装着構造体１２中の通路２８と第二の装着構造体１４中の通路４０の間を延びそれらを接続している通路５８を定めていてもよい。補強材５４は、チューブ１６から半径方向に延びている高さＨを有している。補強材５４の高さＨは、グロメット１０の所望の形を生むように選択されてもよい。たとえば、補強材５４の高さＨは、グロメット１０の曲げ強度を増大させるために増大されてもよい。補強材５４の高さＨは、グロメット１０の長手軸ｘに沿って均一または不均一であってもよい。
【００２０】
補強材５４の高さＨは、補強材５４が配置される個所の波状部４６の壁厚を増大させてもよい。この点について、波状部４６は、尾根５０の所で第一の壁厚Ｔｉを、溝５２のうち補強材５４が配置されていないものの所で第二の壁厚Ｔ２を、溝５２のうち補強材５４が配置されているものの所で第三の壁厚Ｔ３を有している。第一の壁厚Ｔｉと第二の壁厚Ｔ２は等しくてもよく、第三の壁厚Ｔ３は第一および第二の壁厚Ｔ２，Ｔ３よりも大きくてもよい。第三の壁厚Ｔ３と第一および第二の壁厚Ｔ２，Ｔ３の間の差は補強材５４の高さＨと等しくてもよい。
【００２１】
図６と７を参照すると、補強材５４は、チューブの中心に対するある角度をわたってチューブ１６の周囲のまわりに少なくとも部分的に延びていてもよい。補強材５４の角度は、グロメット１０の所望の形を生むように選択されてもよい。たとえば、角度は、グロメット１０の曲げ強度を増大させるために増大されてもよい。補強材５４の角度は、グロメット１０の長手軸ｘに沿って均一または不均一であってもよい。たとえば、補強材５４の一つは、第一の角度Ａ１（たとえば１８０度）にわたって延びていてもよく、補強材５４の別の一つは、第一の角度Ａ１とは異なる第二の角度Ａ２（たとえば１２０度）にわたって延びていてもよい。補強材５４は、チューブ１６の周囲のまわりに連続的かつ均一にまたは不連続かつ不均一に延びていてもよい。たとえば、補強材５４の高さは、チューブ１６の周囲のまわりに、ゼロ以上から、ゼロに、ゼロ以上に変動し、不連続を生じさせてもよい。補強材５４の端は、補強材５４の上部と補強材５４の基部に鋭い角を有しているように示されているが、これらの角は強度および形成の容易さのために丸められてもよいことを認め得る。
【００２２】
図１ないし３を再び参照して、グロメット１０の作用がいま説明される。上に論じられたように、第一の装着構造体１２と第二の装着構造体１４は、乗り物のさまざまなボデーパネルに定められた開口内に装着するように構成されてもよい。たとえば、第一の装着構造体１２はドアパネルに装着するように構成されてもよく、第二の装着構造体１４は計器板に装着するように構成されてもよい。この点について、グロメット１０は、計器板とドアパネルの間に延びる電線を収納するように構成されてもよい。
【００２３】
グロメット１０が乗り物に設置されるとき、電線は、通路２８，４０の一方に、通路５８に、通路２８，４０の他方に、差し込まれてもよい。電線が通路２８，４０，５８に差し込まれた後、たとえば、タブ２４，３６を電線にテープ留めすることによって、グロメット１０が電線に固定されてもよい。それから、第一のパネルが第一の楕円筒２０と第二の楕円筒２２の間の溝２６内に座るまで、グロメット１０の第一の装着構造体１２が乗り物の第一のパネルに差し込まれてもよい。同様に、第二のパネルが第一の楕円筒３２と第二の楕円筒３４の間の溝３８内に座るまで、グロメット１０の第二の装着構造体１４が乗り物の第二のパネルに差し込まれてもよい。
【００２４】
図８を参照すると、本開示によるアコーディオン風グロメット６０が実線で示されており、従来技術によるアコーディオン風グロメット６２が想像線で示されている。グロメット６０，６２は乗り物Ｖに設置されて示されており、グロメット６０，６２の端は第一のパネルＰ１と第二のパネルＰ２に固定されており、電線Ｗがグロメット６０，６２を通って延びている。グロメット６０は、グロメット６０の第一、第二、および第三の区間６６，６８，７０に配置された補強材６４を有している。グロメット６２は補強材を有していない。
【００２５】
グロメット６０，６２の端はまったく同じに配置されるが、グロメット６０，６２の形は異なる。グロメット６２の曲げ半径はほぼ均一であるのに対し、グロメット６０の曲げ半径はグロメット６０の長さに沿って不均一である。この不均一は補強材６４によって引き起こされる。補強材６４は、グロメット６０が設置されたときに圧縮されるグロメット６０の側に配置されている。したがって、グロメット６０が設置されたとき、補強材６４は、グロメット６０を横切る曲げ力に反対する。その結果、補強材６４は、第一、第二、および第三の区間６６，６８，７０のグロメットの曲げ半径に影響を及ぼす。
【００２６】
グロメット１０の長さに沿ったグロメット１０の曲げ半径の不均一は、補強材６４の異なる角度（すなわち、グロメット６０の周囲のまわりに補強材６４が延びている異なる量）に起因してもよい。第一および第三の区間６６，７０の補強材６４の角度は、第二の区間６８の補強材６４の角度よりも小さい。その結果、曲がりのほとんどは第一および第三の区間６６，７０で起こる一方、第二の区間６８では曲がりはほとんど起こらない。
【００２７】
したがって、補強材６４の角度が、異なる区間中の異なる量によるグロメット１０のかたよりを制限するために、グロメット１０の異なる区間で異なっていてもよい。付加的または代替的に、補強材６４の他の側面が、異なる区間中の異なる量によるグロメット１０のかたよりを制限するために、異なる区間で異なっていてもよい。他の側面は、補強材６４の高さ、補強材６４の量、補強材６４の配置、および／または補強材６４の材料を含んでいてもよい。
【００２８】
実施形態の先の説明は、例示と説明の目的のために提供された。それは、徹底的であるようも、開示を限定するようにも意図されていない。特定の実施形態の個々の要素または特徴は、一般的にその特定の実施形態に限定されないが、可能なものであれば、置き換え可能であり、たとえ明確に図示および説明されていなくても、選択された実施形態で使用されてもよい。同様物は、多くの方法で変更されてもよい。そのような変化は、開示からの逸脱と見なされるべきではなく、そのような修正はすべて開示の範囲内に含まれると意図される。
【符号の説明】
【００２９】
１０…グロメット、１２，１４…装着構造体、１６…チューブ、１８…矩形台座、２０，２２…楕円筒、２４…タブ、２６…溝、２８…通路、３０…矩形台座、３２，３４…楕円筒、３６…タブ、３８…溝、４０…通路、４２，４４…平坦部、４６…波状部、４８…ナブ、５０…尾根、５２…溝、５４…補強材、５６，５８…通路、６０，６２…グロメット、６４…補強材、６６，６８，７０…区間、Ａ１，Ａ２…角度、Ｐ１，Ｐ２…パネル、Ｔ１，Ｔ２，Ｔ３…壁厚。
【図１】
2015181337.tif 000003
【図２】
2015181337.tif 000004
【図３】
2015181337.tif 000005
【図４】
2015181337.tif 000006
【図５】
2015181337.tif 000007
【図６】
2015181337.tif 000008
【図７】
2015181337.tif 000009
【図８】
2015181337.tif 000010
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
電線を収納するためのグロメットであり、
乗り物のパネルに装着するように構成された装着構造体を備えており、前記装着構造体は、それを通って延びる第一の通路を定めており、また、
前記装着構造体から延びており、前記装着構造体の前記第一の通路と連絡した第二の通路を定めているチューブを備えており、前記チューブは、複数の尾根と、前記複数の尾根の間にはさまれた複数の溝を有している波状部を有しており、また、
前記複数の尾根のうちの前記波状部の一部の区域内に配置されたものの間にはさまれた複数の補強材を備えており、前記複数の補強材は、前記チューブ上を周方向に少なくとも部分的に延びており、前記複数の補強材は、前記チューブから半径方向に外へ延びる高さを有しており、前記複数の補強材は共働して前記波状部の曲げ半径が不均一であるようにし、前記波状部は、その両端に位置する端区間と、前記端区間の間の中間区間を有しており、前記複数の補強材は前記端区間および前記中間区間に配置されており、前記グロメットが前記乗り物に設置されたときと同様に前記チューブの端が配置されたとき、前記複数の補強材は共働して前記中間区間の曲げ半径を前記端区間の少なくとも一つの曲げ半径よりも大きくさせる、グロメット。
【請求項２】
前記複数の補強材は第一の補強材と第二の補強材を有しており、前記第一の補強材は、前記チューブ上を周方向に第一の長さだけ延びており、前記第二の補強材は、前記チューブ上を周方向に前記第一の長さとは異なる第二の長さだけ延びている、請求項１のグロメット。
【請求項３】
前記波状部の前記区域は、前記波状部の全長の一部に延びている、請求項１のグロメット。
【請求項４】
前記複数の補強材は、前記チューブの全周に延びている、請求項１のグロメット。
【請求項５】
前記複数の補強材の高さは、前記チューブの長さに沿って均一である、請求項１のグロメット。
【請求項６】
前記複数の補強材の高さは、前記チューブの全周にわたって均一である、請求項１のグロメット。
【請求項７】
前記複数の補強材は、前記チューブと単一体に形成されて前記チューブと前記複数の補強材を含む構造体を形成する、請求項１のグロメット。
【請求項８】
前記チューブと前記複数の補強材を含む前記構造体は、前記複数の尾根の所で第一の壁厚を有しており、前記チューブと前記複数の補強材を含む前記構造体は、前記複数の補強材の所で第二の壁厚を有しており、前記第二の壁厚は、前記複数の補強材の高さと等しい量だけ前記第一の壁厚よりも大きい、請求項７のグロメット。
【請求項９】
電線を収納するためのグロメットであり、
乗り物のパネルに装着するように構成された装着構造体を備えており、前記装着構造体は、それを通って延びる第一の通路を有しており、また、
前記装着構造体から延びており、前記装着構造体の前記第一の通路と連絡した第二の通路を定めているチューブを備えており、前記チューブは、複数の尾根と、前記複数の尾根の間にはさまれた複数の溝を有している波状部を有しており、また、
前記複数の尾根のうちの前記波状部の一部の区域内に配置されたものの間にはさまれた複数の補強材を備えており、前記複数の補強材は、前記グロメットが前記乗り物に設置されたときと同様に前記チューブの端が配置されたとき、前記グロメットの曲げ半径が前記グロメットの長さに沿って不均一であるようにし、前記複数の補強材は、第一の数量が、前記グロメットの第一の区間に沿って配置され、第二の数量が、前記グロメットの第二の区間に沿って配置されており、前記第一および第二の数量は、共にゼロはなく、互いに異なっている、グロメット。
【請求項１０】
前記グロメットが前記乗り物に設置されたときと同様に前記チューブの端が配置されたときに、前記グロメットの第一の区間は、第一の曲げ半径を有し、前記グロメットの第二の区間は、前記第一の曲げ半径とは異なる第二の曲げ半径を有する、請求項９のグロメット。
【請求項１１】
前記第一および第二の区間にそれぞれ配置された前記複数の補強材の前記第一および第二の数量の違いが、前記第一および第二の区間の第一および第二の曲げ半径の違いをもたらす、請求項１０のグロメット。
【請求項１２】
前記複数の補強材のうちの前記第一の区間に配置されたものは、前記チューブ上を周方向に第一の長さだけ延びており、前記複数の補強材のうちの前記第二の区間に配置されたものは、前記チューブ上を周方向に前記第一の長さとは異なる第二の長さだけ延びている、請求項１０のグロメット。
【請求項１３】
前記複数の補強材のうちの前記第一の区間に配置されたものは第一の材料から形成されており、前記複数の補強材のうちの前記第二の区間に配置されたものは、前記第一の材料とは異なる第二の材料から形成されている、請求項１０のグロメット。
【手続補正２】
【補正対象書類名】明細書
【補正対象項目名】０００４
【補正方法】変更
【補正の内容】
【０００４】
アコーディオン風グロメットは、計器板からドアのパネルまで延びる電線を収納するために乗り物に設置されることがある。この場合、ドアが閉じられるとき、電線はグロメットの形状に影響を及ぼすことがある。グロメットの形状に影響を及ぼす電線の潜在力は、グロメットが長いとき、および／または、電線がねじられるとき、より大きいことがある。グロメットの形の変化は、ドアと隣接ボデーパネルの間のはさみ区域にグロメットを向けさせ、それは、最終的に電線に損傷を与えることがある。したがって、アコーディオン風グロメットの形状が制御されることが、グロメットを使用する乗り物と他の製品で望まれることがある。
［先行技術文献］
米国特許第３，０８２，４７０号明細書
米国特許第３，７９４，０８０号明細書
米国特許第４，７９３，３８４号明細書
米国特許第４，８６５，３６２号明細書
米国特許第４，９０７，８３６号明細書
米国特許第５，４４８，０１７号明細書
米国特許第５，７１６，０４４号明細書
米国特許第５，９１１，４５０号明細書
米国特許第５，９５８，３１５号明細書
米国特許第６，０１５，９５２号明細書
米国特許第６，２７８，０６０号明細書
米国特許第６，５３４，７１３号明細書
米国特許第６，８４４，４９７号明細書
米国特許第６，９０１，６２７号明細書
米国特許第６，９３３，４３９号明細書
米国特許第７，０２０，９３１号明細書
米国特許第７，０５３，３０４号明細書
米国特許第７，０５３，３０５号明細書
米国特許第７，０５３，３１１号明細書
米国特許第７，０９８，４０２号明細書
米国特許第７，２４４，８９４号明細書
米国特許第７，２９７，８７４号明細書
米国特許第７，４２３，２２３号明細書
米国特許第７，６５９，４８０号明細書
米国特許第７，８３４，２７２号明細書
米国特許第７，９４３，８５４号明細書
【手続補正３】
【補正対象書類名】明細書
【補正対象項目名】００２８
【補正方法】変更
【補正の内容】
【００２８】
実施形態の先の説明は、例示と説明の目的のために提供された。それは、徹底的であるようも、開示を限定するようにも意図されていない。特定の実施形態の個々の要素または特徴は、一般的にその特定の実施形態に限定されないが、可能なものであれば、置き換え可能であり、たとえ明確に図示および説明されていなくても、選択された実施形態で使用されてもよい。同様物は、多くの方法で変更されてもよい。そのような変化は、開示からの逸脱と見なされるべきではなく、そのような修正はすべて開示の範囲内に含まれると意図される。
以下に、本願出願の当初の特許請求の範囲に記載された発明を付記する。
［１］電線を収納するためのグロメットであり、
乗り物のパネルに装着するように構成された装着構造体を備えており、前記装着構造体は、それを通って延びる第一の通路を定めており、また、
前記装着構造体から延びており、前記装着構造体の前記第一の通路と連絡した第二の通路を定めているチューブを備えており、前記チューブは、複数の尾根と、前記複数の尾根の間にはさまれた複数の溝を有している波状部を有しており、また、
前記複数の尾根のうちの前記波状部のある区域内に配置されたものの間にはさまれた複数の補強材を備えており、前記複数の補強材は、前記チューブの周囲のまわりに部分的に延びており、前記複数の補強材は、前記チューブから半径方向に外へ延びる高さを有している、グロメット。
［２］前記複数の補強材は第一の補強材と第二の補強材を有しており、前記第一の補強材は、前記チューブの周囲のまわりに第一の量だけ延びており、前記第二の補強材は、前記チューブの周囲のまわりに前記第一の量とは異なる第二の量だけ延びている、［１］のグロメット。
［３］前記波状部の前記区域は、前記波状部の長さに沿って部分的に延びている、［１］のグロメット。
［４］前記複数の補強材は、前記チューブの周囲のまわりに連続的に延びている、［１］のグロメット。
［５］前記複数の補強材の高さは、前記チューブの長さに沿って均一である、［１］のグロメット。
［６］前記複数の補強材の高さは、前記チューブの周囲のまわりに均一である、［１］のグロメット。
［７］前記複数の補強材は、前記チューブと単一体に形成されている、［１］のグロメット。
［８］前記チューブは、前記複数の尾根の所で第一の壁厚を有しており、前記チューブは、前記複数の補強材の所で第二の壁厚を有しており、前記第二の壁厚は、前記複数の補強材の高さと等しい量だけ前記第一の壁厚よりも大きい、［７］のグロメット。
［９］電線を収納するためのグロメットであり、
乗り物のパネルに装着するように構成された装着構造体を備えており、前記装着構造体は、それを通って延びる第一の通路を有しており、また、
前記装着構造体から延びており、前記装着構造体の前記第一の通路と連絡した第二の通路を定めているチューブを備えており、前記チューブは、複数の尾根と、前記複数の尾根の間にはさまれた複数の溝を有している波状部を有しており、また、
前記複数の尾根のうちの前記波状部のある区域内に配置されたものの間にはさまれた複数の補強材を備えており、前記複数の補強材は、前記チューブから半径方向に外へ延びる高さを有しており、前記複数の補強材は第一の補強材と第二の補強材を有しており、前記第一の補強材は、前記チューブの周囲のまわりに第一の量だけ延びており、前記第二の補強材は、前記チューブの周囲のまわりに前記第一の量とは異なる第二の量だけ延びている、グロメット。
［１０］前記複数の補強材は、前記チューブの周囲のまわりに部分的に延びている、［９］のグロメット。
［１１］前記波状部の前記区域は、前記波状部の長さに沿って部分的に延びている、［９］のグロメット。
［１２］前記複数の補強材は、前記チューブの周囲のまわりに連続的に延びている、［９］のグロメット。
［１３］前記複数の補強材の高さは、前記チューブの周囲のまわりに均一である、［９］のグロメット。
［１４］前記複数の補強材は、前記チューブと単一体に形成されている、［９］のグロメット。
［１５］前記チューブは、前記複数の尾根の所で第一の壁厚を有しており、前記チューブは、前記複数の補強材の所で第二の壁厚を有しており、前記第二の壁厚は、前記複数の補強材の高さと等しい量だけ前記第一の壁厚よりも大きい、［９］のグロメット。
［１６］電線を収納するためのグロメットであり、
乗り物のパネルに装着するように構成された装着構造体を備えており、前記装着構造体は、それを通って延びる第一の通路を有しており、また、
前記装着構造体から延びており、前記装着構造体の前記第一の通路と連絡した第二の通路を定めているチューブを備えており、前記チューブは、複数の尾根と、前記複数の尾根の間にはさまれた複数の溝を有している波状部を有しており、また、
前記複数の尾根のうちの前記波状部の区域内に配置されたものの間にはさまれた複数の補強材を備えており、前記複数の補強材は、前記チューブの端が前記乗り物への前記グロメットの設置を模倣する設置方位に配置されたときに、前記波状部の前記区域のかたよりを共働して制限する、グロメット。
［１７］前記チューブの端が前記設置方位で配置されたときに、前記グロメットの第一の区間は、第一の曲げ半径を有し、前記グロメットの第二の区間は、前記第一の曲げ半径とは異なる第二の曲げ半径を有する、［１６］のグロメット。
［１８］前記複数の補強材の第一の量が前記第一の区間に配置され、前記複数の補強材の第二の量が第二の区間に配置され、前記第二の量は前記第一の量とは異なっている、［１７］のグロメット。
［１９］前記複数の補強材のうちの前記第一の区間に配置されたものは、前記チューブの周囲のまわりに第一の量だけ延びており、前記複数の補強材のうちの前記第二の区間に配置されたものは、前記チューブの周囲のまわりに前記第一の量とは異なる第二の量だけ部分的に延びている、［１７］のグロメット。
［２０］前記複数の補強材のうちの前記第一の区間に配置されたものは第一の材料から形成されており、前記複数の補強材のうちの前記第二の区間に配置されたものは、前記第一の材料とは異なる第二の材料から形成されている、［１７］のグロメット。
【外国語明細書】
2015181337000001.pdf